(57)【要約】【課題】本発明は多機能自動車収納箱を開示した。【解決手段】収納箱と前記収納箱の中に設置される収納チャンバとを含み、前記収納箱の中には作動チャンバが設置され、前記作動チャンバの中には固定装置が設置される；本発明は構造が簡単で、使用が便利であり、自動車のひじかけまたはトラックの後部席など使用便利な位置に置くことができ、本発明の収納溝が深く、より多くのものを収納でき、その同時に長距離走行中に、飲み物を本発明の指定位置に置くことができ、飲むときにはスイッチを押すことだけで自動蓋開けが実現でき、飲みやすく、走行中に蓋を回すとき危険が起こることを避ける。【選択図】図１
2020147361.tif 000002
【特許請求の範囲】
【請求項１】
収納箱と前記収納箱の中に設置される収納チャンバとを含み、前記収納箱の中には作動チャンバが設置され、前記作動チャンバの中には固定装置が設置され、前記固定装置は固定ブロックを含み、前記固定ブロックの中には挟みチャンバが設置され、前記挟みチャンバの中には下スライド板がスライドできるように設置され、前記下スライド板の下端面と前記挟みチャンバの底壁との間が緩衝ばねにより接続され、前記固定ブロックの左右内壁には挟みばねが対称的に設置され、前記挟みばねの相対端には挟みブロックが固定的に設置され、前記挟みブロックの上側が弧形面であり、これにより前記挟みチャンバの中に異なるサイズの飲み物瓶を置くことができ、前記作動チャンバの中には制御装置が設置され、前記制御装置は前記作動チャンバの内壁に設置されるガイド溝を含み、前記ガイド溝の中にはガイドブロックがスライドできるように設置され、前記ガイドブロックの上側が接続バーにより前記固定ブロックと接続され、前記収納箱の中には動力チャンバが設置され、前記動力チャンバの中には蓋開け装置が設置され、前記蓋開け装置は前記動力チャンバの底壁に回転できるように設置される中空回転軸を含み、前記中空回転軸の上端にはリングギヤが固定的に設置され、前記リングギヤの中には上下に貫通する空きチャンバが設置され、前記空きチャンバの内壁には四つの弧形ブロックが固定的に設置されることを特徴とする多機能自動車収納箱。
【請求項２】
前記蓋開け装置は前記動力チャンバの底壁に固定的に設置されるモータを含み、前記モータの上端には動力軸が動力が伝達できるように接続され、前記動力軸の上端には歯車が固定的に設置され、前記歯車と前記リングギヤとが噛合し、前記動力チャンバの頂壁にはばね溝が左右に対称的に設置され、前記ばね溝の中には定位ブロックがスライドできるように設置され、前記定位ブロックの一つの側の端面と前記ばね溝の一つの側の内壁との間が押圧ばねにより固定され、前記作動チャンバの頂壁には定位穴が設置され、前記定位穴の頂壁には前記モータと電気により接続されるスイッチが固定的に設置され、前記定位穴と前記動力チャンバとの間がスライドチャンバにより連通され、前記スライドチャンバの中には回転ブロックが左右に対称的にスライドできるように設置され、前記回転ブロックの一つの側の端面と前記定位ブロックの一つの側の端面との間が中間バーにより接続され、これにより前記リングギヤが回転するとき前記弧形ブロックにより前記定位ブロックを押圧し、前記回転ブロックを互いに近接させ蓋をきつく挟んで回転させることを特徴とする請求項１に記載の多機能自動車収納箱。
【請求項３】
前記制御装置は前記ガイドブロックの左端面に固定的に接続される引き線を含み、前記ガイドの右端面と前記ガイド溝の右壁との間が戻しばねにより接続され、前記収納箱の右端面にはスライド溝が設置され、前記スライド溝と前記ガイド溝との間が線溝により連通され、前記スライド溝の中には制御ブロックがスライドできるように設置され、前記スライド溝の左右内壁にはゴムダンパーバーが固定的に設置され、前記引き線が前記線溝を通して前記スライド溝の中まで伸びて前記制御ブロックの上端面に固定的に接続され、これにより前記制御ブロックを下にスライドさせるとき前記引き線により前記ガイドブロックを引き、そして前記固定装置を駆動し指定の位置まで運動させることを特徴とする請求項１に記載の多機能自動車収納箱。
【発明の詳細な説明】
【技術分野】
【０００１】
本発明は収納箱技術分野を取り上げて、具体的には多機能自動車収納箱である。
【背景技術】
【０００２】
自動車内の空間が狭いため、ものを収納する収納箱を常に準備する必要があり、長距離走行において、飲み物を準備し途中に飲むのが一般的であり、飲む前には蓋を回して外してから飲む必要があり、その過程は非常に危険であり、上記の問題に対し、多機能自動車収納箱を提出する。
【先行技術文献】
【特許文献】
【０００３】
【特許文献１】中国特許出願公開第１０５５３８２６８号明細書
【発明の概要】
【発明が解決しようとする課題】
【０００４】
本発明の目的は多機能自動車収納箱を提供し、それは上記の現在の技術中の問題を解決できる。
【課題を解決するための手段】
【０００５】
本発明の多機能自動車収納箱は、収納箱と前記収納箱の中に設置される収納チャンバとを含み、前記収納箱の中には作動チャンバが設置され、前記作動チャンバの中には固定装置が設置され、前記固定装置は固定ブロックを含み、前記固定ブロックの中には挟みチャンバが設置され、前記挟みチャンバの中には下スライド板がスライドできるように設置され、前記下スライド板の下端面と前記挟みチャンバの底壁との間が緩衝ばねにより接続され、前記固定ブロックの左右内壁には挟みばねが対称的に設置され、前記挟みばねの相対端には挟みブロックが固定的に設置され、前記挟みブロックの上側が弧形面であり、これにより前記挟みチャンバの中に異なるサイズの飲み物瓶を置くことができ、前記作動チャンバの中には制御装置が設置され、前記制御装置は前記作動チャンバの内壁に設置されるガイド溝を含み、前記ガイド溝の中にはガイドブロックがスライドできるように設置され、前記ガイドブロックの上側が接続バーにより前記固定ブロックと接続され、前記収納箱の中には動力チャンバが設置され、前記動力チャンバの中には蓋開け装置が設置され、前記蓋開け装置は前記動力チャンバの底壁に回転できるように設置される中空回転軸を含み、前記中空回転軸の上端にはリングギヤが固定的に設置され、前記リングギヤの中には上下に貫通する空きチャンバが設置され、前記空きチャンバの内壁には四つの弧形ブロックが固定的に設置される。
【０００６】
優選的には、前記蓋開け装置は前記動力チャンバの底壁に固定的に設置されるモータを含み、前記モータの上端には動力軸が動力が伝達できるように接続され、前記動力軸の上端には歯車が固定的に設置され、前記歯車と前記リングギヤとが噛合し、前記動力チャンバの頂壁にはばね溝が左右に対称的に設置され、前記ばね溝の中には定位ブロックがスライドできるように設置され、前記定位ブロックの一つの側の端面と前記ばね溝の一つの側の内壁との間が押圧ばねにより固定され、前記作動チャンバの頂壁には定位穴が設置され、前記定位穴の頂壁には前記モータと電気により接続されるスイッチが固定的に設置され、前記定位穴と前記動力チャンバとの間がスライドチャンバにより連通され、前記スライドチャンバの中には回転ブロックが左右に対称的にスライドできるように設置され、前記回転ブロックの一つの側の端面と前記定位ブロックの一つの側の端面との間が中間バーにより接続され、これにより前記リングギヤが回転するとき前記弧形ブロックにより前記定位ブロックを押圧し、前記回転ブロックを互いに近接させ蓋をきつく挟んで回転させる。
【０００７】
優選的には、、前記制御装置は前記ガイドブロックの左端面に固定的に接続される引き線を含み、前記ガイドの右端面と前記ガイド溝の右壁との間が戻しばねにより接続され、前記収納箱の右端面にはスライド溝が設置され、前記スライド溝と前記ガイド溝との間が線溝により連通され、前記スライド溝の中には制御ブロックがスライドできるように設置され、前記スライド溝の左右内壁にはゴムダンパーバーが固定的に設置され、前記引き線が前記線溝を通して前記スライド溝の中まで伸びて前記制御ブロックの上端面に固定的に接続され、これにより前記制御ブロックを下にスライドさせるとき前記引き線により前記ガイドブロックを引き、そして前記固定装置を駆動し指定の位置まで運動させる。
【発明の効果】
【０００８】
以上により、本発明は構造が簡単で、使用が便利であり、自動車のひじかけまたはトラックの後部席など使用便利な位置に置くことができ、本発明の収納溝が深く、より多くのものを収納でき、その同時に長距離走行中に、飲み物を本発明の指定位置に置くことができ、飲むときにはスイッチを押すことだけで自動蓋開けが実現でき、飲みやすく、走行中に蓋を回すとき危険が起こることを避ける。
【図面の簡単な説明】
【０００９】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１０】
【図１】図１は本発明の多機能自動車収納箱の全体構成略図である；
【図２】図２は図１のＡ−Ａの構成略図である；
【図３】図３は図１のＢ−Ｂの構成略図である；
【図４】図４は図１のＣ−Ｃの構成略図である；
【図５】図５は図１のＤの構成略図である。
【発明を実施するための形態】
【００１１】
本発明を以下の具体的な実施例と付図を交え詳しく説明し、本発明の方式は以下の実施例を含むが、その実施例に限定されない。
【００１２】
図１−５に示すように、本発明の多機能自動車収納箱は、収納箱１０と前記収納箱１０の中に設置される収納チャンバ１１とを含み、前記収納箱１０の中には作動チャンバ１２が設置され、前記作動チャンバ１２の中には固定装置１００が設置され、前記固定装置１００は固定ブロック１８を含み、前記固定ブロック１８の中には挟みチャンバ１７が設置され、前記挟みチャンバ１７の中には下スライド板２３がスライドできるように設置され、前記下スライド板２３の下端面と前記挟みチャンバ１７の底壁との間が緩衝ばね２４により接続され、前記固定ブロック１８の左右内壁には挟みばね１９が対称的に設置され、前記挟みばね１９の相対端には挟みブロック２０が固定的に設置され、前記挟みブロック２０の上側が弧形面であり、これにより前記挟みチャンバ１７の中に異なるサイズの飲み物瓶２１を置くことができ、前記作動チャンバ１２の中には制御装置２００が設置され、前記制御装置２００は前記作動チャンバ１２の内壁に設置されるガイド溝１３を含み、前記ガイド溝１３の中にはガイドブロック１５がスライドできるように設置され、前記ガイドブロック１５の上側が接続バー２５により前記固定ブロック１８と接続され、前記収納箱１０の中には動力チャンバ３４が設置され、前記動力チャンバ３４の中には蓋開け装置３００が設置され、前記蓋開け装置３００は前記動力チャンバ３４の底壁に回転できるように設置される中空回転軸４０を含み、前記中空回転軸４０の上端にはリングギヤ２８が固定的に設置され、前記リングギヤ２８の中には上下に貫通する空きチャンバ２２が設置され、前記空きチャンバ２２の内壁には四つの弧形ブロック２７が固定的に設置される。
【００１３】
有益的には、前記蓋開け装置３００は前記動力チャンバ３４の底壁に固定的に設置されるモータ４１を含み、前記モータ４１の上端には動力軸４２が動力が伝達できるように接続され、前記動力軸４２の上端には歯車４３が固定的に設置され、前記歯車４３と前記リングギヤ２８とが噛合し、前記動力チャンバ３４の頂壁にはばね溝３９が左右に対称的に設置され、前記ばね溝３９の中には定位ブロック２９がスライドできるように設置され、前記定位ブロック２９の一つの側の端面と前記ばね溝３９の一つの側の内壁との間が押圧ばね３８により固定され、前記作動チャンバ１２の頂壁には定位穴３３が設置され、前記定位穴３３の頂壁には前記モータ４１と電気により接続されるスイッチ４５が固定的に設置され、前記定位穴３３と前記動力チャンバ３４との間がスライドチャンバ３２により連通され、前記スライドチャンバ３２の中には回転ブロック３１が左右に対称的にスライドできるように設置され、前記回転ブロック３１の一つの側の端面と前記定位ブロック２９の一つの側の端面との間が中間バー３０により接続され、これにより前記リングギヤ２８が回転するとき前記弧形ブロック２７により前記定位ブロック２９を押圧し、前記回転ブロック３１を互いに近接させ蓋をきつく挟んで回転させる。
【００１４】
有益的には、前記制御装置２００は前記ガイドブロック１５の左端面に固定的に接続される引き線１４を含み、前記ガイド１５の右端面と前記ガイド溝１３の右壁との間が戻しばね２６により接続され、前記収納箱１０の右端面にはスライド溝３６が設置され、前記スライド溝３６と前記ガイド溝１３との間が線溝１６により連通され、前記スライド溝３６の中には制御ブロック３５がスライドできるように設置され、前記スライド溝３６の左右内壁にはゴムダンパーバー３７が固定的に設置され、前記引き線１４が前記線溝１６を通して前記スライド溝３６の中まで伸びて前記制御ブロック３５の上端面に固定的に接続され、これにより前記制御ブロック３５を下にスライドさせるとき前記引き線１４により前記ガイドブロック１５を引き、そして前記固定装置１００を駆動し指定の位置まで運動させる。
【００１５】
前記多機能自動車収納箱の実現方法は、以下のステップを含む：
【００１６】
使用するとき、本発明を自動車のひじかけまたはトラックの後部席など使用便利な位置に置き、収納チャンバ１１の中に雑物を収納でき、車内をきれいにさせ、飲み物瓶２１が挟みブロック２０の間に置かれ挟まれ、飲むとき、制御ブロック３５を下にスライドさせ、制御ブロック３５とゴムダンパーバー３７とを摩擦により係合し、引き線１４によりガイドブロック１５を引き、ガイドブロック１５が接続バー２５により固定ブロック１８を運動連動させ、固定ブロック１８が飲み物瓶２１を運動連動させ瓶の口を定位穴３３の中に插入してスイッチ４５を押圧しモータ４１を起動させ、モータ４１が動力軸４２により歯車４３を回転連動させ、歯車４３がリングギヤ２８を回転連動させ、リングギヤ２８が回転し弧形ブロック２７を定位ブロック２９に当接させ、回転ブロック３１が互いに近接し蓋をきつく挟み、また蓋を回転連動させ外し、このときモータ４１が停止し、回転ブロック３１が蓋をきつく挟み、蓋が瓶の本体から離脱し、蓋を回すとき、制御ブロック３５がゴムダンパーバー３７の摩擦によりゆっくり戻り、制御ブロック３５がゴムダンパーバー３７と離脱するとき、ガイドブロック１５が戻しばね２６の作用のもとで快速にリセットされ、このとき飲み物瓶２１がリセットされ、飲むことができ、飲み終わると飲み物瓶２１を再び挟みブロック２０の間に置ききつく挟み、再び下に制御ブロック３５をスライドさせ、モータ４１が逆方向に回転し蓋を回して締める。
【００１７】
以上により、本発明は構造が簡単で、使用が便利であり、自動車のひじかけまたはトラックの後部席など使用便利な位置に置くことができ、本発明の収納溝が深く、より多くのものを収納でき、その同時に長距離走行中に、飲み物を本発明の指定位置に置くことができ、飲むときにはスイッチを押すことだけで自動蓋開けが実現でき、飲みやすく、走行中に蓋を回すとき危険が起こることを避ける。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020147361.tif 000003
【図２】
2020147361.tif 000004
【図３】
2020147361.tif 000005
【図４】
2020147361.tif 000006
【図５】
2020147361.tif 000007
【手続補正書】
【提出日】令和1年7月9日(2019.7.9)
【手続補正１】
【補正対象書類名】特許請求の範囲
【補正対象項目名】請求項３
【補正方法】変更
【補正の内容】
【請求項３】
前記制御装置は前記ガイドブロックの左端面に固定的に接続される引き線を含み、前記ガイドブロックの右端面と前記ガイド溝の右壁との間が戻しばねにより接続され、前記収納箱の右端面にはスライド溝が設置され、前記スライド溝と前記ガイド溝との間が線溝により連通され、前記スライド溝の中には制御ブロックがスライドできるように設置され、前記スライド溝の左右内壁にはゴムダンパーバーが固定的に設置され、前記引き線が前記線溝を通して前記スライド溝の中まで伸びて前記制御ブロックの上端面に固定的に接続され、これにより前記制御ブロックを下にスライドさせるとき前記引き線により前記ガイドブロックを引き、そして前記固定装置を駆動し指定の位置まで運動させることを特徴とする請求項１に記載の多機能自動車収納箱。
【手続補正２】
【補正対象書類名】明細書
【補正対象項目名】全文
【補正方法】変更
【補正の内容】
【発明の詳細な説明】
【技術分野】
【０００１】
本発明は収納箱技術分野を取り上げて、具体的には多機能自動車収納箱である。
【背景技術】
【０００２】
自動車内の空間が狭いため、ものを収納する収納箱を常に準備する必要があり、長距離走行において、飲み物を準備し途中に飲むのが一般的であり、飲む前には蓋を回して外してから飲む必要があり、その過程は非常に危険であり、上記の問題に対し、多機能自動車収納箱を提出する。
【先行技術文献】
【特許文献】
【０００３】
【特許文献１】中国特許出願公開第１０５５３８２６８号明細書
【発明の概要】
【発明が解決しようとする課題】
【０００４】
本発明の目的は多機能自動車収納箱を提供し、それは上記の現在の技術中の問題を解決できる。
【課題を解決するための手段】
【０００５】
本発明の多機能自動車収納箱は、収納箱と前記収納箱の中に設置される収納チャンバとを含み、前記収納箱の中には作動チャンバが設置され、前記作動チャンバの中には固定装置が設置され、前記固定装置は固定ブロックを含み、前記固定ブロックの中には挟みチャンバが設置され、前記挟みチャンバの中には下スライド板がスライドできるように設置され、前記下スライド板の下端面と前記挟みチャンバの底壁との間が緩衝ばねにより接続され、前記固定ブロックの左右内壁には挟みばねが対称的に設置され、前記挟みばねの相対端には挟みブロックが固定的に設置され、前記挟みブロックの上側が弧形面であり、これにより前記挟みチャンバの中に異なるサイズの飲み物瓶を置くことができ、前記作動チャンバの中には制御装置が設置され、前記制御装置は前記作動チャンバの内壁に設置されるガイド溝を含み、前記ガイド溝の中にはガイドブロックがスライドできるように設置され、前記ガイドブロックの上側が接続バーにより前記固定ブロックと接続され、前記収納箱の中には動力チャンバが設置され、前記動力チャンバの中には蓋開け装置が設置され、前記蓋開け装置は前記動力チャンバの底壁に回転できるように設置される中空回転軸を含み、前記中空回転軸の上端にはリングギヤが固定的に設置され、前記リングギヤの中には上下に貫通する空きチャンバが設置され、前記空きチャンバの内壁には四つの弧形ブロックが固定的に設置される。
【０００６】
優選的には、前記蓋開け装置は前記動力チャンバの底壁に固定的に設置されるモータを含み、前記モータの上端には動力軸が動力が伝達できるように接続され、前記動力軸の上端には歯車が固定的に設置され、前記歯車と前記リングギヤとが噛合し、前記動力チャンバの頂壁にはばね溝が左右に対称的に設置され、前記ばね溝の中には定位ブロックがスライドできるように設置され、前記定位ブロックの一つの側の端面と前記ばね溝の一つの側の内壁との間が押圧ばねにより固定され、前記作動チャンバの頂壁には定位穴が設置され、前記定位穴の頂壁には前記モータと電気により接続されるスイッチが固定的に設置され、前記定位穴と前記動力チャンバとの間がスライドチャンバにより連通され、前記スライドチャンバの中には回転ブロックが左右に対称的にスライドできるように設置され、前記回転ブロックの一つの側の端面と前記定位ブロックの一つの側の端面との間が中間バーにより接続され、これにより前記リングギヤが回転するとき前記弧形ブロックにより前記定位ブロックを押圧し、前記回転ブロックを互いに近接させ蓋をきつく挟んで回転させる。
【０００７】
優選的には、、前記制御装置は前記ガイドブロックの左端面に固定的に接続される引き線を含み、前記ガイドブロックの右端面と前記ガイド溝の右壁との間が戻しばねにより接続され、前記収納箱の右端面にはスライド溝が設置され、前記スライド溝と前記ガイド溝との間が線溝により連通され、前記スライド溝の中には制御ブロックがスライドできるように設置され、前記スライド溝の左右内壁にはゴムダンパーバーが固定的に設置され、前記引き線が前記線溝を通して前記スライド溝の中まで伸びて前記制御ブロックの上端面に固定的に接続され、これにより前記制御ブロックを下にスライドさせるとき前記引き線により前記ガイドブロックを引き、そして前記固定装置を駆動し指定の位置まで運動させる。
【発明の効果】
【０００８】
以上により、本発明は構造が簡単で、使用が便利であり、自動車のひじかけまたはトラックの後部席など使用便利な位置に置くことができ、本発明の収納溝が深く、より多くのものを収納でき、その同時に長距離走行中に、飲み物を本発明の指定位置に置くことができ、飲むときにはスイッチを押すことだけで自動蓋開けが実現でき、飲みやすく、走行中に蓋を回すとき危険が起こることを避ける。
【図面の簡単な説明】
【０００９】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１０】
【図１】図１は本発明の多機能自動車収納箱の全体構成略図である；
【図２】図２は図１のＡ−Ａの構成略図である；
【図３】図３は図１のＢ−Ｂの構成略図である；
【図４】図４は図１のＣ−Ｃの構成略図である；
【図５】図５は図１のＤの構成略図である。
【発明を実施するための形態】
【００１１】
本発明を以下の具体的な実施例と付図を交え詳しく説明し、本発明の方式は以下の実施例を含むが、その実施例に限定されない。
【００１２】
図１−５に示すように、本発明の多機能自動車収納箱は、収納箱１０と前記収納箱１０の中に設置される収納チャンバ１１とを含み、前記収納箱１０の中には作動チャンバ１２が設置され、前記作動チャンバ１２の中には固定装置１００が設置され、前記固定装置１００は固定ブロック１８を含み、前記固定ブロック１８の中には挟みチャンバ１７が設置され、前記挟みチャンバ１７の中には下スライド板２３がスライドできるように設置され、前記下スライド板２３の下端面と前記挟みチャンバ１７の底壁との間が緩衝ばね２４により接続され、前記固定ブロック１８の左右内壁には挟みばね１９が対称的に設置され、前記挟みばね１９の相対端には挟みブロック２０が固定的に設置され、前記挟みブロック２０の上側が弧形面であり、これにより前記挟みチャンバ１７の中に異なるサイズの飲み物瓶２１を置くことができ、前記作動チャンバ１２の中には制御装置２００が設置され、前記制御装置２００は前記作動チャンバ１２の内壁に設置されるガイド溝１３を含み、前記ガイド溝１３の中にはガイドブロック１５がスライドできるように設置され、前記ガイドブロック１５の上側が接続バー２５により前記固定ブロック１８と接続され、前記収納箱１０の中には動力チャンバ３４が設置され、前記動力チャンバ３４の中には蓋開け装置３００が設置され、前記蓋開け装置３００は前記動力チャンバ３４の底壁に回転できるように設置される中空回転軸４０を含み、前記中空回転軸４０の上端にはリングギヤ２８が固定的に設置され、前記リングギヤ２８の中には上下に貫通する空きチャンバ２２が設置され、前記空きチャンバ２２の内壁には四つの弧形ブロック２７が固定的に設置される。
【００１３】
有益的には、前記蓋開け装置３００は前記動力チャンバ３４の底壁に固定的に設置されるモータ４１を含み、前記モータ４１の上端には動力軸４２が動力が伝達できるように接続され、前記動力軸４２の上端には歯車４３が固定的に設置され、前記歯車４３と前記リングギヤ２８とが噛合し、前記動力チャンバ３４の頂壁にはばね溝３９が左右に対称的に設置され、前記ばね溝３９の中には定位ブロック２９がスライドできるように設置され、前記定位ブロック２９の一つの側の端面と前記ばね溝３９の一つの側の内壁との間が押圧ばね３８により固定され、前記作動チャンバ１２の頂壁には定位穴３３が設置され、前記定位穴３３の頂壁には前記モータ４１と電気により接続されるスイッチ４５が固定的に設置され、前記定位穴３３と前記動力チャンバ３４との間がスライドチャンバ３２により連通され、前記スライドチャンバ３２の中には回転ブロック３１が左右に対称的にスライドできるように設置され、前記回転ブロック３１の一つの側の端面と前記定位ブロック２９の一つの側の端面との間が中間バー３０により接続され、これにより前記リングギヤ２８が回転するとき前記弧形ブロック２７により前記定位ブロック２９を押圧し、前記回転ブロック３１を互いに近接させ蓋をきつく挟んで回転させる。
【００１４】
有益的には、前記制御装置２００は前記ガイドブロック１５の左端面に固定的に接続される引き線１４を含み、前記ガイドブロック１５の右端面と前記ガイド溝１３の右壁との間が戻しばね２６により接続され、前記収納箱１０の右端面にはスライド溝３６が設置され、前記スライド溝３６と前記ガイド溝１３との間が線溝１６により連通され、前記スライド溝３６の中には制御ブロック３５がスライドできるように設置され、前記スライド溝３６の左右内壁にはゴムダンパーバー３７が固定的に設置され、前記引き線１４が前記線溝１６を通して前記スライド溝３６の中まで伸びて前記制御ブロック３５の上端面に固定的に接続され、これにより前記制御ブロック３５を下にスライドさせるとき前記引き線１４により前記ガイドブロック１５を引き、そして前記固定装置１００を駆動し指定の位置まで運動させる。
【００１５】
前記多機能自動車収納箱の実現方法は、以下のステップを含む：
【００１６】
使用するとき、本発明を自動車のひじかけまたはトラックの後部席など使用便利な位置に置き、収納チャンバ１１の中に雑物を収納でき、車内をきれいにさせ、飲み物瓶２１が挟みブロック２０の間に置かれ挟まれ、飲むとき、制御ブロック３５を下にスライドさせ、制御ブロック３５とゴムダンパーバー３７とを摩擦により係合し、引き線１４によりガイドブロック１５を引き、ガイドブロック１５が接続バー２５により固定ブロック１８を運動連動させ、固定ブロック１８が飲み物瓶２１を運動連動させ瓶の口を定位穴３３の中に插入してスイッチ４５を押圧しモータ４１を起動させ、モータ４１が動力軸４２により歯車４３を回転連動させ、歯車４３がリングギヤ２８を回転連動させ、リングギヤ２８が回転し弧形ブロック２７を定位ブロック２９に当接させ、回転ブロック３１が互いに近接し蓋をきつく挟み、また蓋を回転連動させ外し、このときモータ４１が停止し、回転ブロック３１が蓋をきつく挟み、蓋が瓶の本体から離脱し、蓋を回すとき、制御ブロック３５がゴムダンパーバー３７の摩擦によりゆっくり戻り、制御ブロック３５がゴムダンパーバー３７と離脱するとき、ガイドブロック１５が戻しばね２６の作用のもとで快速にリセットされ、このとき飲み物瓶２１がリセットされ、飲むことができ、飲み終わると飲み物瓶２１を再び挟みブロック２０の間に置ききつく挟み、再び下に制御ブロック３５をスライドさせ、モータ４１が逆方向に回転し蓋を回して締める。
【００１７】
以上により、本発明は構造が簡単で、使用が便利であり、自動車のひじかけまたはトラックの後部席など使用便利な位置に置くことができ、本発明の収納溝が深く、より多くのものを収納でき、その同時に長距離走行中に、飲み物を本発明の指定位置に置くことができ、飲むときにはスイッチを押すことだけで自動蓋開けが実現でき、飲みやすく、走行中に蓋を回すとき危険が起こることを避ける。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。